(57)【要約】【課題】患者の前立腺に関係するパラメータの検出を行なうことができるようにする。【解決手段】患者（２）の前立腺に関係するパラメータを求める方法において、統合された診断支援システムが次のステップを実行する。スクリーニング法（８）に基づいて前立腺疾病に関する第１のリスク特性値（１２）が求められ、第１のリスク特性値（１２）が第１の限界値（１４）を上回る場合に、患者（２）の医用画像を供給する方法（１６）に基づいて前立腺疾病に関する少なくとも１つの第２のリスク特性値（１８）およびそれの場所が求められる。統合されたレポートシステムがパラメータとしてリスク特性値（１２，１８）の少なくとも１つおよび／または場所を出力する。【選択図】図１
2010029659.tif 000002
【特許請求の範囲】
【請求項１】
統合された診断支援システム（３０）によって統合された作業手順で行なわれる次のステップ、
患者（２）においてスクリーニング法（８）に基づいて前立腺疾病の存在に関する第１のリスク特性値（１２）が求められるステップ、
第１のリスク特性値（１２）が第１の限界値（１４）を上回る場合に、患者（２）において患者（２）の医用画像（５０）を供給する方法（１６）に基づいて前立腺疾病の存在に関する少なくとも１つの第２のリスク特性値（１８）およびそれの推定される場所（６２）が求められるステップ、
統合されたレポートシステム（３８）がパラメータとして複数のリスク特性値（１２，１８）のうちの少なくとも１つのリスク特性値および／または場所（６２）を出力するステップ
を有する患者の前立腺に関係する少なくとも１つのパラメータを求める方法。
【請求項２】
付加的に次のステップが実行される請求項１記載の方法、
付加的に第２のリスク特性値（１８）が第２の限界値（２２）を上回る場合に、患者（２）において侵襲性の方法（２４）に基づいて前立腺疾病の場所（６２）で組織状態（６４）が求められるステップ、
統合されたレポートシステム（３８）がパラメータとして複数のリスク特性値（１２，１８）のうちの少なくとも１つのリスク特性値および／または場所（６２）および／または組織状態（６４）を出力するステップ。
【請求項３】
スクリーニング法（８）が現場にあるミニ実験室分析ユニット（３４）のもとで行なわれる請求項１又は２記載の方法。
【請求項４】
第１のリスク特性値（１２）がＩＴベースの意思決定支援システム（１０）を使用して求められる請求項１乃至３の１つに記載の方法。
【請求項５】
第２のリスク特性値（１８）が前立腺特有の変化（５４）に基づいて求められる請求項１乃至４の１つに記載の方法。
【請求項６】
第２のリスク特性値（１８）として局所的なリスク分布を評価システム（６０）が求める請求項１乃至５の１つに記載の方法。
【請求項７】
侵襲性の方法（２４）が医用画像（５０）を標的案内のために使用する請求項１乃至６の１つに記載の方法。
【請求項８】
第１のリスク特性値（１２）および第２のリスク特性値（１８）が知識管理システム（８６）に基づいて求められる請求項１乃至７の１つに記載の方法。
【請求項９】
患者（２）の前立腺（５２）に関係する少なくとも１つのパラメータを求める装置（３０）であって、
患者（２）においてスクリーニング検査（８）を行なうためのミニ実験室分析ユニット（３４）と、
スクリーニング検査（８）に基づいて前立腺疾病の存在に関する第１のリスク特性値（１２）を求めるためのインテリジェント意思決定支援システム（１０）と、
患者（２）の医用画像（５０）を作成するための画像化システム（４８）への第１のインターフェース（４６）と、
前立腺疾病の存在に関する少なくとも１つの第２のリスク特性値（１８）およびそれの場所（６２）を医用画像（５０）から求めるための評価システム（６０）と、
複数のリスク特性値（１２，１８）のうちの１つのリスク特性値および／または場所（６４）である少なくとも１つのパラメータを出力するためのユーザインターフェース（３９）を有するレポートシステム（３８）と、
を備えた患者の前立腺に関係する少なくとも１つのパラメータを求める装置。
【請求項１０】
患者（２）の場所（６２）における組織状態（６４）を供給する侵襲性の前立腺検査システム（６５）への第２のインターフェース（６３）と、
複数のリスク特性値（１２，１８）のうちの１つのリスク特性値および／または場所（６４）および／または組織状態（６４）である少なくとも１つのパラメータを出力するためのユーザインターフェース（３９）を有するレポートシステム（３８）と、
を備えた請求項９記載の装置。
【請求項１１】
前立腺疾病に関係するパラメータ（８２）を供給する知識管理システム（８６）を備えた請求項９又は１０記載の装置（３０）。
【請求項１２】
知識管理システム（８６）が医用患者データバンク（４）およびインターネットのためのインターフェース（９０）を含む請求項１１記載の装置。
【発明の詳細な説明】
【技術分野】
【０００１】
本発明は、患者の前立腺に関係するパラメータを求める方法および装置に関する。
【背景技術】
【０００２】
患者のとりわけ複雑な疾病をできるだけ適確かつ適時に治療をすることが今日における医学の目標である。このために病気の存在および類型をできるだけ早期にかつ正確に認識することが不可欠である。これは、特に、男性における最高頻度の癌種である前立腺癌を含む男性の種々の前立腺疾病に当てはまる。
【０００３】
前立腺疾病の場合には、一方では、治療機会を高めると同時に後続治療のコストを低減するために、潜在的に危険にさらされている（例えば高齢の）できるだけ多数の人において、早期診断および鑑別診断が行なわれるべきである。他方では、今日の普通のやり方によれば、前立腺疾病の診断は多段階で時間のかかるプロセスである。
【０００４】
図３は、前立腺診断における今日の典型的なやり方を、時間ｔを介する経過ダイアグラムにて示す。まず、診療所３０４への患者３０２の最初の訪問３００ａ時に、患者から血液試料３０６が採取される。ＰＳＡ値３０８、すなわち前立腺特異抗原濃度の決定のために、血液試料３０６が中央実験室３１０に送られて評価され、結果が診療所３０４における医師３１２に通知される。ＰＳＡ値３０８は、もちろん限られた特異性を有する前立腺疾病のための指標である。このプロセスは、少なくとも１日にわたり、幾日かにまたがることもしばしばある。
【０００５】
この最初の検査、すなわち訪問３００ａが、開業医師において行なわれて疑いを示した場合に、患者３０は病院３１４を紹介される。その際に前述の手順にしたがって上記のＰＳＡ値３０８が確認のために一般にもう一度、再び中央実験室によって求められる。
【０００６】
ＰＳＡ検査の結果が、前立腺疾病の疑いが正しいことを証明した場合に、患者３０２が病院３１４へ２回目目の訪問３００ｃに来させられる。今回はＴＲＵＳ検査（経直腸超音波検査）３１６のためである。この際には患者３０２の前立腺３１８において局所的に疑いを裏付ける根拠が探し求められる。多くの場合に、ＴＲＵＳ検査３１６はもちろん最初の訪問３００ｂの際にも行なわれる。
【０００７】
ＰＳＡまたはＴＲＵＳ診断結果が病気の疑いを実証した場合に、患者３０２は生検３２０の実施のために２回目または３回目の訪問３００ｄに来させられる。生検針３２１が患者３０２内における場合によってはあり得る病巣（例えば炎症または腫瘍）に命中することも保証され得ないことから、このような生検３２０は時として一度だけでなく何度も行なわれなければならない。
【０００８】
生検３２０のための新たな試みは、病巣に狙いを定めて生検針３２１を案内するために、いわゆる誘導式生検、すなわち同時の造影剤投与３２４をともなう超音波画像化装置３２２を使用する。これは患者３０２にとって肉体的かつ精神的な負担を低減する。なぜならば一般に唯一の生検３２０のみを行なえばよいからである。
【０００９】
したがって、全体として、図３に描写された標準手順は一般に何週間にもわたっていて、幾つもの診察もしくは訪問３００ａ−ｄが行なわれなければならない。
【００１０】
公知の方法により、患者からパラメータが採集または収集される。パラメータは、例えば実験室値、超音波画像またＸ線透視画像、あるいはその他の診断値である。これらのパラメータは患者の前立腺の状態を表わし、したがって患者の前立腺疾病に関係がある。換言するならば、このようなパラメータが医師のためのデータベースを成し、医師は、これに基づいてデータの個人的評価によって、前立腺疾病を除外すべく、またはまさしく前立腺疾病の種類および深刻さに応じた診断をすべく、患者のために診断を下す。
【００１１】
統合されたミニ実験室分析ユニットを有する医療検査ユニットは公知である（例えば、特許文献１参照）。とりわけ救急処置室、集中治療室、手術室等において使用可能なユニットが、少なくとも、緊急患者の生命機能の監視のためのおよび／または救急医による応急処置のための超音波装置、患者モニタ装置、心電図装置、人工呼吸器および／または蘇生装置を含んでいる。この検査ユニットに基づいて、多数の医療上の検査を統合することができ、すなわち中断のない作業経過を実施することができる。
【先行技術文献】
【特許文献】
【００１２】
【特許文献１】独国特許出願公開第１０２００７０２６９１０号明細書
【発明の概要】
【発明が解決しようとする課題】
【００１３】
本発明の課題は、患者の前立腺に関係する前述のパラメータの検出を行なうことができる改善された方法および装置を提供することにある。
【課題を解決するための手段】
【００１４】
方法に関する課題は、次のステップを有する患者の前立腺に関係する少なくとも１つのパラメータを求める方法によって解決される。ステップは、装置、すなわち統合された診断支援システムによって統合された作業手順で行なわれる。先ず、患者においてスクリーニング法に基づいて前立腺疾病の存在に関する第１のリスク特性値が求められる。換言するならば、スクリーニング検査の結果として、もしくは第１のリスク特性値として、前立腺疾病の存在に関する大まかなリスク、つまり体の広い範囲に及んで測定されるリスクが求められる。スクリーニングにおいて、例えば確立されたＰＳＡレベルを、それから導き出された特性も一緒に測定することができる。高い感度および特異性を有するマーカーパネル、すなわち複数のマーカーを同時に使用することもできる。
【００１５】
第１のリスク特性値が第１の限界値を上回る場合に、患者において、患者の医用画像、例えば超音波画像または透視画像を供給する方法に基づいて、前立腺疾病の存在に関する第２のリスク特性値および前立腺疾病の推定される場所が求められる。
【００１６】
したがって、この方法ステップにおいては、第１の非侵襲の方法により大まかなリスクの存在時に（そしてその場合にのみ）、例えば超音波のような画像化方法を使用して、第２のリスク特性値として、特別な患者において病気存在に関して局所的に測定されたリスクが示される。画像化方法は、場合によっては、特有でないまたは病気特有の生体内マーカー、例えば造影剤と組み合わされて行なわれる。更に、画像化方法によって作成された医用画像は、後の診断ステップにおいて、患者において予想される病気の種類、例えば前立腺炎もしくは前立腺癌の存在に関する詳しい情報を医師にもたらす。
【００１７】
少なくとも１つのステップが実行された後に、統合されたレポートシステムが、パラメータとして、これまでの方法経過において求められたもしくは既に使用できる少なくとも１つの値もしくはデータ、すなわち複数のリスク特性値のうちの少なくとも１つのリスク特性値および／または場所を出力する。換言するならば、医師には、統合されたレポートシステムの様式に応じて、最終診断を明快に支援するように、あらゆる検査、所見およびリスク評価が示される。したがって、医師によってもたらされる結果の品質標準が保証される。更に、方法経過が適切な医療上のガイドライン状況に応じて行なわれることが保証される。
【００１８】
このような統合されたレポートの表示は、例えばユーザインターフェースを介して行なわれる。レポートは診療上の経過をまとめた要約書である。医療上のガイドラインにしたがって品質保証されたやり方で現在の診断関係もしくは治療関係のデータ、画像、分析、所見およびリスク状況が表示される。
【００１９】
本発明は、適切な分析方法および診断方法を開業医によっても実施可能な統合されたやり方で提供するという認識に基づいている。パラメータ収集の経過、従ってそれに引き続く前立腺疾病の診断が、医師によって促進され、（コスト的に）効率化される。それによって、本発明による方法は、選別されるべき潜在的に危険にさらされている幅広い多数の人において実施可能である。
【００２０】
換言するならば、本発明による方法は、前立腺疾病の診断法および場合によって行なわれる治療法もしくはテラノスティクス（治療的診断法）を用意するための統合された解決策を開示する。全ての方法ステップは、方法ステップを第一に即座に、第二にその都度現場で、例えば何もかも一診療所または一開業医において行なうことができるように提供される。
【００２１】
したがって、本発明による方法の主たる特徴は、構成要素もしくは個別ステップを識別して適確に組み合わて、医師、例えば泌尿器科医を最適に支援する作業手順を構成することにある。
【００２２】
本発明による方法は泌尿器科医のために最適化された作業手順を提供する。それによって、泌尿器科医は成果の品質を確保し、患者の健康扶助を高め、不要な診断プロセスの節減によって診断コストを低減することができる。
【００２３】
本発明による方法もしくは対応する装置はモジュール構成可能であり、個別の病院もしくは診療所の要求に適合させることができる。
【００２４】
本発明による方法は現状に比べて診断準備の大きな時間節約を提供する。患者における不愉快さおよび精神的負担が減少する。本方法は、新しいガイドラインに柔軟に適合し、効率的に最適化することができ、すなわちその都度新たなかつ改善されたプロセス部分による既存のプロセスモジュールの置き換えによってそのようなことが可能となる。純粋な診断法の、例えば治療準備への拡張が、例えば高密度焦点式超音波（ＨＩＦＵ）のような局所的治療支援の統合化された計画または連結によって可能である。
【００２５】
本発明による方法の有利な変形では付加的に次のステップが実行される。第１の限界値についての前述の条件に加えてなおも、第２のリスク特性値が第２の限界値を上回る場合に、患者において侵襲性の方法に基づいて前立腺疾病の場所で組織状態、すなわち局所的な病気状態が求められる。レポートシステムによって、その際に任意選択的に組織状態も出力されるとよい。
【００２６】
したがって、この方法ステップにおいては、大まかな局所的リスクが存在する場合にのみ第２の侵襲性の方法が実施される。これは患者におけるパラメータを獲得することを可能にし、これらのパラメータは、後で医師による診断時に、組織状態および患者の病気の種類および深刻さに関する最終的な解明を得ることを可能にする。
【００２７】
有利な実施態様においてはスクリーニング法がインビトロ検査を加えることによって行なわれる。この検査は更に現場でミニ実験室分析ユニットにおいて行なわれる。
【００２８】
他の実施態様では、第１のリスク特性値がＩＴベースの意思決定支援システムを用いて求められる。
【００２９】
本発明による方法の代替的な実施態様では、第２のリスク値が前立腺特有の変化に基づいて求められる。これらの変化は作成された医用画像から得られる。
【００３０】
本発明による方法の変形においては、例えばソフトウェアの形での評価システムが再び第２のリスク特性値を算定する。この特性値の場所的な分布、つまり局所的なリスク分布は例えばリスクマップの形で求めることができる。
【００３１】
評価ソフトウェアは、例えば超音波検査結果の評価を行なうとよい。このソフトウェアは、例えば造影剤強調超音波画像から、病変組織、例えば癌組織の存在に関する局所的な確率分布を求めることができる。この分布はリスクマップと呼ばれる。
【００３２】
侵襲性の方法を実施する際に、有利な実施態様では、画像化方法の結果が、場合によってはリスクマップと重ね合わせられて特に正確なやり方で、例えば侵襲性の方法の実施時における生検針の標的誘導に利用されるとよい。
【００３３】
本発明による方法において、第１および第２のリスク特性値の算定が知識管理システムに基づいて行なわれると有利である。知識管理システムは、例えば統合された医療上の患者データバンクおよびウェブポータルからなり、ウェブポータルを介して前立腺テラノスティクスに関連した追加情報をコンテクストセンシティブに呼び出すことができる。
【００３４】
本発明による方法の有利な実施態様においては、ローカル（局所）またはセントラル（中央）に案内される統合された医療データバンクが使用される。データバンクにおけるデータサイトが、方法経過における意思決定支援、すなわち限界値の高さを最適化することを可能にする。更に、データバンクは品質保証のために使用可能である。
【００３５】
したがって、特定の実施態様において本発明による方法は、定量的な、したがって再現可能なリスク確率の算定を可能にする知識発見および知識管理システムによるソフトウェア支援を提供する。
【００３６】
装置に関する課題は、患者の前立腺に関係する少なくとも１つのパラメータを求める装置によって解決される。本装置は、中核において、例えば種々の構成要素を有するワークステーションを含む。本装置は、ワークステーションに接続されているミニ実験室分析ユニット、例えばラボオンチップの形でのＰＳＡレベルもしくは合成血清マーカーの測定のためのインビトロ診断ユニットを含む。したがって、ミニ実験室分析ユニットは、患者におけるスクリーニング検査を実施するために用いられる。更に、本装置は、スクリーニングデータを評価するための少なくとも１つのインテリジェント意思決定支援システムを含む。この場合に、多くの患者に関するデータから、例えばデータ発掘および知識発見によって習得された特性を有するベイジアンネットワークが使用されるとよい。したがって、意思決定支援システムは、スクリーニング検査に基づいて前立腺疾病の存在に関する第１のリスク特性値を求めるために用いられる。
【００３７】
本発明による装置は、患者の医用画像を作成するための画像化システム、すなわちイメージング装置への第１のインターフェースを含む。ここでは、例えばＭＲ検査に比べてフレキシブルに使用可能な超音波装置が使用されるとよい。
【００３８】
本発明による装置にはなおも、前立腺疾病の存在に関する少なくとも１つの第２のリスク特性値およびそれの推定される場所を医用画像から求めるための評価システムと、複数のリスク特性値のうちの１つのリスク特性値および／または場所である少なくとも１つのパラメータを出力するためのユーザインターフェースを有するレポートシステムとが付属する。
【００３９】
したがって、本発明による装置は相当数のインターフェースを持つ。これは装置のモジュール構成、したがって高フレキシブル構成を支援する。
【００４０】
本発明による装置およびそれの利点のそのほかは既に本発明による方法と関連して説明した。このような装置は、例えば「前立腺ステーション」と呼ばれ、例えば前立腺癌の診断のために使用することができる統合された解決手段である。
【００４１】
有利な実施態様では、本発明による装置はなおも、患者の前記場所における組織状態を供給する侵襲性の前立腺検査システムへの第２のインターフェースを含んでいる。レポートシステムによって任意選択的に組織状態も出力することができる。
【００４２】
既述のように、本発明による装置が、前立腺疾病に関係するパラメータを供給する知識管理システムへのインターフェースを含むとよい。
【００４３】
同様に既述のように、知識管理システムが、医療上の患者データベースおよびインターネットへのインターフェースを含むとよい。この関連において意思決定支援システムは、データベース内容ならびに新しい患者についての新しい患者データに基づいて、大まかなリスク、すなわち第１のリスク特性値を確率の形で算定するために利用することができる。
【図面の簡単な説明】
【００４４】
【図１】図１は本発明による前立腺患者におけるパラメータ検出の経過を示す概略図である。
【図２】図２は図１の経過の詳細を示す概略図である。
【図３】図３は従来技術によるパラメータ検出の経過を示す概略図である。
【発明を実施するための形態】
【００４５】
本発明の更なる説明のために、図面に概略的な原理図で示す実施例を参照する。
【００４６】
図１は、前立腺疾病診断の目的のための患者２における統合化されたデータ採集の時間ｔに対する経過を一般化された表示で示す。データ採集は、患者が唯一の訪問６をする診療所４において行なわれる。スクリーニング（ふるい分け）検査として先ず患者においてインビトロ（生体外）検査８が行なわれる。意思決定支援システム１０が、第１の危険特性値として、患者２が前立腺疾病を有する大まかなリスク１２を求める。
【００４７】
大まかなリスク１２が第１の限界値１４を上回った場合に、患者２においてＴＲＵＳ検査１６が行なわれる。これに基づいて、患者２が前立腺疾病を病む局所リスク１８が求められる。同時にＴＲＵＳ検査１６を介して統合化された所見レポート２０が作成される。
【００４８】
局所リスク１８が第２の限界値２２を上回った場合に、患者２において生検２４が行なわれる。
【００４９】
図１に示されているステップ全体は、ただちに相次いで診療所４における現場で行なわれるので、方法全体はほんの少しの時間しかかからない。
【００５０】
図２は図１の方法の経過を詳細に示す。患者２が体の不調の解明のために診療所４を訪問する。診療所４は、データ収集のための統合された装置として前立腺ステーション３０を持つ。先ず、患者において全体的にａ）にて示されているスクリーニングが行なわれる。患者２から血液および／または尿試料３２が採取され、矢印ａ１に沿って前立腺ステーション３０に属するインビトロ分析ユニット３４に供給される。
【００５１】
結果として生じる濃度値３６が矢印ｄ１に沿ってレポートシステム３８に表示のために伝送される。レポートシステムはユーザインターフェース３９を持ち、ユーザインターフェースにおいて図示されていない医師が全てのレポート結果を閲覧することができる。この場合に、統合されたレポートに属する全てのプロセスが常にｄ）により示されている。同時に、濃度値３６は、導き出された量４０と一緒に矢印ａ２に沿って入力として、後続接続された意思決定支援システム１０に送られる。この意思決定支援システム１０は前立腺ステーション３０のソフトウェアシステムであり、意思決定支援を行なう。意思決定支援システム１０は、矢印ａ３に沿って自動的に、患者２の他の使用可能なデータ４４、つまり、同時にリスク評価のための入力として役立つ例えば年齢、体重、病歴または以前の検査結果のような既往歴データを取り込む。
【００５２】
前立腺ステーション３０には、超音波装置４８に対するインターフェース４６が存在する。最終的に、患者２における最初の解明のために患者２の前立腺５２の超音波撮影画像５０が作成される。これから、例えば前立腺ボリュームまたは病巣の存在のような典型的なコード番号５４が求められ、矢印ａ４に沿って意思決定支援システム１０に伝達される。
【００５３】
このスクリーニングデータ、例えば濃度値３６に基づいて、意思決定支援システム１０が大まかなリスク１２に関する確率値を算定し、この確率値が矢印ｄ２に沿ってレポートシステム３８に表示のために伝達される。
【００５４】
矢印ｂ１に沿った大まかなリスクが閾値としての第１の限界値１４を上回る場合、もしくは危険症例が存在することを任意選択的に医師が決定した場合には、矢印ｂ２に沿って即座に、超音波装置４８による造影剤強調超音波検査で前立腺５２における局所的状態の正確な解明が行なわれる。この最初の非侵襲検査が全体的にｂ）にて示されている。
【００５５】
この場合に、例えば前立腺癌、前立腺炎または両方のための分子マーカーを混合された、すなわち分子標識造影剤５６が矢印ｂ３に沿って注入される。結果として生じる強調画像５８が矢印ｂ４に沿って分析ソフトウェア６０に供給される。分析ソフトウェア６０は、前立腺ステーション３０の一部として、それから局所的リスク１８をリスクマップ６２の形で求め、これを矢印ｄ３に沿ってレポートシステム３８に表示のために伝達する。
【００５６】
最後に局所的リスク値１８も第２の限界値２２を上回るか、もしくは高いリスクが存在することを医師が決定した場合には、矢印ｃ１に沿って、侵襲性の組織採取もしくは生検の形で第２の侵襲性検査ｃ）が行なわれる。このために前立腺ステーション３０は侵襲性検査システム６５へのインターフェース６３を持っている。この場合に、検査システム６５において標的を正確に採取するために、矢印ｃ２に沿って、リスクマップ６２を使用することによって造影剤強調超音波検査ｂを利用することができる。
【００５７】
リスクマップ６２のリアルタイム計算の場合には、とりわけ、１回目の検査ｂおよびリスクマップ６２の作成のために、そして２回目の検査ｃ、すなわち生検の支援のために、同一の超音波検査が用いられるとよい。これは、方法全体の明白な効率向上および患者２のための明白な負担軽減をもたらす。
【００５８】
生検結果６４も矢印ｄ４に沿ってレポートシステム３８に供給される。この生検結果６４は、例えば古典的な組織学的検査、例えばグリーソングレードの評価に由来してもよい。しかしながら、このような方法は、必要な準備プロセスのためにリアルタイムで行なうことができない。
【００５９】
特別に有利な実施例においては、生検時に検査ｃ）中に得られた組織検体６６が同じくインビトロ分析ユニット３４に供給され、今や血清マーカーでなくて組織特有の癌マーカーが測定される。これは、例えばＲＮＡ、すなわち遺伝子発現、たんぱく質または代謝産物の濃度値である。したがって、分子診断が行なわれる。
【００６０】
今や完全なレポートシート６８に基づいて本発明による方法の終了後に医師７０が患者２に対する最終的な診断を行い、今後の治療過程を決定する。
【００６１】
この実施例は図を分かり易くするために診断に集中していることに留意すべきである。しかしながら、一般に前立腺ステーション３０の構想は治療の試行もしくは統合された治療の試行に拡張可能である。
【００６２】
前立腺ステーション３０の代替的な実施形態では、矢印８０に沿って、患者群全体の既存のデータサイト８２が、先ずは意思決定支援システム１０および分析ソフトウェア６０の設計のために、そして後ではそれらの改善および最適化のために利用される。データサイト８２は、知識管理システム８６内に統合された医療データバンク８４を含み、医療データバンク８４は患者データ８８をデータセットの形で含んでいる。データセットは、例えばゲノム、化学的または画像データおよび実験室レポート、検査結果等を含む。更に、知識管理システム８６はなおもウェブポータル９０を含んでいる。
【００６３】
例えば、データ発掘、知識ディスカバリによって、またはマシンによる学習の他の方法によって、本発明による方法からのデータと、データサイト８２の患者群を中心に置いた患者データからの所見との間の間接的な関係を抽出して明白にし、今後の患者の改善された分析のために利用することができる。
【００６４】
他の実施例では、知識管理システム８６が複数の前立腺ステーションユニット３０のために中央に置かれているので、大きなかつバランスのとれたデータサイト８２が得られる。
【符号の説明】
【００６５】
２          患者
４          診療所
６          訪問
８          インビトロ検査
１０        意思決定支援システム
１２        大まかなリスク
１４        第１の限界値
１６        ＴＲＵＳ検査
１８        局所リスク
２０        所見レポート
２２        第２の限界値
２４        生検
３０        前立腺ステーション
３２        血液および／または尿試料
３４        インビトロ分析ユニット
３６        濃度値
３８        レポートシステム
４０        導き出された量
４４        患者の他のデータ
４６        インターフェース
４８        超音波装置
５０        超音波撮影画像
５２        前立腺
５４        コード番号
５６        造影剤
５８        強調画像
６０        分析ソフトウェア
６２        前立腺疾病の場所（リスクマップ）
６３        インターフェース
６４        組織状態（生検結果）
６５        侵襲性検査システム
６６        組織検体
６８        レポートシート
７０        医師
８０        矢印
８２        データサイト
８４        統合された医療データバンク
８６        知識管理システム
８８        患者データ
９０        ウェブポータル
【図１】
2010029659.tif 000003
【図２】
2010029659.tif 000004
【図３】
2010029659.tif 000005